(57)【要約】      （修正有）【課題】発電量の低下を招くことなく装置の運搬性を確保することができる太陽光発電装置を提供する。【解決手段】集光型太陽光発電パネル部材１２と、平板型太陽光発電パネル部材１４と、を備える太陽光発電装置１０において、太陽光発電装置１０を運搬する際には、平板型太陽光発電パネル部材１４が集光型太陽光発電パネル部材１２の裏側に入り込み、集光型太陽光発電パネル部材１２および平板型太陽光発電パネル部材１４をオーバーラップした状態に配置することができるように構成する。これにより、両太陽光発電パネル部材１２，１４の配列方向の幅寸法Ｌ３を低減することができ、運搬時における装置のコンパクト化を図ることができる。この結果、装置の運搬性を向上することができる。【選択図】図９
0003201920.tif 000002
【実用新案登録請求の範囲】
【請求項１】
太陽光を電力に変換する太陽光発電装置であって、
前記太陽光を受光する受光面を有する集光型および平板型太陽光発電パネル部材と、
鉛直方向に延在する鉛直軸線を中心に前記集光型および平板型太陽光発電パネル部材を旋回可能に支持すると共に、前記鉛直軸線に直交する直交軸線を中心に前記集光型太陽光発電パネル部材を傾動可能に支持するよう構成された支持部材と、
前記集光型および平板型太陽光発電パネル部材を旋回すると共に、前記集光型太陽光発電パネル部材を傾動するよう構成された駆動部材と、
を備え、
前記支持部材は、前記太陽光発電装置を運搬する際、前記集光型または平板型太陽光発電パネル部材の一方の受光面と交差する直線に関し、該直線に沿う方向の一方側から見たときの仮想投影面上における前記集光型または平板型太陽光発電パネル部材の一方の投影領域の内側に前記集光型または平板型太陽光発電パネル部材の他方の少なくとも一部が配置可能なように構成されている
太陽光発電装置。
【請求項２】
前記支持部材は、前記集光型または平板型太陽光発電パネル部材を前記直交軸線に沿う方向に摺動可能に支持するよう構成されており、
前記集光型または平板型太陽光発電パネル部材の摺動によって、該集光型または平板型太陽光発電パネル部材の他方の少なくとも一部が該集光型または平板型太陽光発電パネル部材の一方の前記投影領域の内側に配置される
請求項１に記載の太陽光発電装置。
【請求項３】
前記集光型太陽光発電パネル部材は、前記太陽光発電装置を運搬する際、前記直交軸線を中心に傾動されるよう構成されている
請求項１または２に記載の太陽光発電装置。
【請求項４】
前記平板型太陽光発電パネル部材は、水平面に対して傾斜角度をもって設置されるよう構成されており、前記太陽光発電装置を運搬する際の前記傾斜角度を発電する際の前記傾斜角度よりも大きくすることができるよう構成されている
請求項１ないし３のいずれか１項に記載の太陽光発電装置。
【請求項５】
請求項１ないし４のいずれか１項に記載の太陽光発電装置と、
該太陽光発電装置によって発電された電力を蓄電可能であると共に、蓄電された電力の一部を前記駆動部材に供給可能に構成された蓄電装置と、
を備える
太陽光発電システム。
【請求項６】
前記蓄電装置は、前記集光型太陽光発電パネル部材によって発電された電力を蓄電可能な第１蓄電装置と、前記平板型太陽光発電パネル部材によって発電された電力を蓄電可能な第２蓄電装置と、を有しており、
該第２蓄電装置に蓄電された電力を前記駆動部材に供給するよう構成されている
請求項５に記載の太陽光発電システム。
【考案の詳細な説明】
【技術分野】
【０００１】
本考案は、太陽光を電力に変換する太陽光発電装置および太陽光発電システムに関する。
【背景技術】
【０００２】
特開２０１４−１７５５８２号公報（特許文献１）には、集光型太陽光発電パネルと、平板型太陽光発電パネルと、これら両太陽光発電パネルの複数を支持するフレームと、そのフレームの向きを上下左右に変更させる駆動部と、太陽の位置を捕捉するセンサと、を備える太陽追尾型太陽光発電装置が記載されている。
【０００３】
当該太陽光発電装置では、発電量が大きく減少する曇り日等においては平板型太陽光発電パネルで発電し、晴れた日等においては高い発電効率を有する集光型太陽光発電パネルによって発電する構成であるため、いずれか一方のみの太陽光発電パネルを備えた発電装置に比べて、より多くの発電量を確保することができる。
【先行技術文献】
【特許文献】
【０００４】
【特許文献１】特開２０１４−１７５５８２号公報
【考案の概要】
【考案が解決しようとする課題】
【０００５】
ところで、太陽光発電装置は、自然災害時にも電力を供給し続けることができるため、近年、非常電源システムとしての期待が高まっている。しかしながら、上述した公報に記載の太陽光発電装置を含む従来の太陽光発電装置は、高い発電量を確保するために大きな太陽光発電パネルが必要であることに加えて、強固な基礎を設けて架台を固定する構成であるため、大型であり被災地等への運搬が困難である。このため、装置の早期設置および早期発電が困難であり、かかる点において、なお改良の余地がある。
【０００６】
本考案は、上記に鑑みてなされたものであり、発電量の低下を招くことなく装置の運搬性を確保することができる技術を提供することを目的とする。
【課題を解決するための手段】
【０００７】
本考案の太陽光発電装置および太陽光発電システムは、上述の目的を達成するために以下の手段を採った。
【０００８】
本考案に係る太陽光発電装置の好ましい形態によれば、太陽光を電力に変換する太陽光発電装置が構成される。当該太陽光発電装置では、太陽光を受光する受光面を有する集光型および平板型太陽光発電パネル部材と、当該集光型および平板型太陽光発電パネル部材を支持するように構成された支持部材と、集光型および平板型太陽光発電パネル部材を旋回すると共に、集光型太陽光発電パネル部材を傾動するように構成された駆動部材と、を備えている。支持部材は、鉛直方向に延在する鉛直軸線を中心に集光型および平板型太陽光発電パネル部材を旋回可能に支持すると共に、鉛直軸線に直交する直交軸線を中心に集光型太陽光発電パネル部材を傾動可能に支持するように構成されている。また、支持部材は、太陽光発電装置を運搬する際、集光型または平板型太陽光発電パネル部材の一方の受光面と交差する直線に関し、当該直線に沿う方向の一方側から見たときの仮想投影面上における集光型または平板型太陽光発電パネル部材の一方の投影領域の内側に、集光型または平板型太陽光発電パネル部材の他方の少なくとも一部が配置可能なように構成されている。
【０００９】
本考案によれば、太陽光発電装置を運搬する際に、集光型または平板型太陽光発電パネル部材の他方の少なくとも一部を集光型または平板型太陽光発電パネル部材の一方にオーバーラップさせて配置することができるため、装置のコンパクト化を図ることができる。これにより、装置の運搬性が向上する。もとより、発電時には集光型および平板型太陽光発電パネル部材の重なりがなくなるように設置することにより、大きな受光面積を確保することができる。これにより、発電量の低下を招くこともない。
【００１０】
本考案に係る太陽光発電装置の更なる形態によれば、支持部材は、集光型または平板型太陽光発電パネル部材を直交軸線に沿う方向に摺動可能に支持するように構成されている。そして、集光型または平板型太陽光発電パネル部材の摺動によって、当該集光型または平板型太陽光発電パネル部材の他方の少なくとも一部が当該集光型または平板型太陽光発電パネル部材の一方の前記投影領域の内側に配置される。
【００１１】
本形態によれば、集光型または平板型太陽光発電パネル部材を摺動させるのみの構成であるため、集光型および平板型太陽光発電パネル部材を簡易な構成で互いにオーバーラップさせて配置することができる。
【００１２】
本考案に係る太陽光発電装置の更なる形態によれば、集光型太陽光発電パネル部材は、太陽光発電装置を運搬する際に、直交軸線を中心に傾動されように構成されている。
【００１３】
本形態によれば、集光型太陽光発電パネル部材が水平方向に平行となっている場合よりも集光型太陽光発電パネル部材が傾動している場合の方が、集光型太陽光発電パネル部材を鉛直方向から見たときの仮想投影面上における当該集光型太陽光発電パネル部材の投影領域の一方の幅寸法（直交軸線に直交する方向の幅寸法）を小さく抑えることができる。これにより、太陽光発電装置を運搬する際に装置のコンパクト化を図ることができ、運搬性を向上することができる。
【００１４】
本考案に係る太陽光発電装置の更なる形態によれば、平板型太陽光発電パネル部材は、水平面に対して傾斜角度をもって設置されるように構成されている。そして、太陽光発電装置を運搬する際の傾斜角度を発電する際の傾斜角度よりも大きくすることができるように構成されている。
【００１５】
本形態によれば、発電時よりも運搬時の方が、平板型太陽光発電パネル部材を鉛直方向から見たときの仮想投影面上における当該平板型太陽光発電パネル部材の投影領域の一方の幅寸法（直交軸線に直交する方向の幅寸法）を小さく抑えることができる。これにより、太陽光発電装置を運搬する際に装置のコンパクト化を図ることができ、運搬性を向上することができる。
【００１６】
本考案に係る太陽光発電システムの好ましい形態によれば、上述したいずれかの態様の本考案に係る太陽光発電装置と、当該太陽光発電装置によって発電された電力を蓄電可能であると共に蓄電された電力の一部を駆動部材に供給可能に構成された蓄電装置と、を備えている。
【００１７】
本考案によれば、上述したいずれかの態様の本考案に係る太陽光発電装置を備えるから、本考案の太陽光発電装置が奏する効果と同様の効果、例えば、発電量の低下を招くことなく装置の運搬性を確保することができる効果などを奏することができる。また、蓄電装置を備えるから、運搬先において早期に太陽光発電装置を駆動して発電を行うことができる。
【００１８】
本考案に係る太陽光発電システムの更なる形態によれば、蓄電装置は、集光型太陽光発電パネル部材によって発電された電力を蓄電可能な第１蓄電装置と、平板型太陽光発電パネル部材によって発電された電力を蓄電可能な第２蓄電装置と、を有している。そして、当該第２蓄電装置に蓄電された電力を駆動部材に供給するように構成されている。
【００１９】
本形態によれば、集光型および平板型太陽光発電パネル部材それぞれが発電した電力を第１および第２蓄電装置のそれぞれに蓄電する構成であるため、蓄電に際して電圧の調整を行う必要がない。また、第２蓄電装置に蓄電した電力によって駆動部材を駆動する構成であるため、発電量が大きく減少する曇り日等においても駆動部材を確実に駆動することができる。これにより、各太陽光発電パネル部材の受光面が太陽光に向くように太陽光の追尾を確実に行うことができ、天候不順等の場合であっても高い発電効率を確保することができる。
【考案の効果】
【００２０】
本考案によれば、発電量の低下を招くことなく装置の運搬性を確保することができる。
【図面の簡単な説明】
【００２１】
【図１】本考案の実施の形態に係る太陽光発電装置１０を備えた太陽光発電システム１の構成の概略を示す構成図である。
【図２】本考案の実施の形態に係る太陽光発電装置１０の構成の概略を示す構成図である。
【図３】本考案の実施の形態に係る太陽光発電装置１０を図２の矢印Ａ方向から見た正面図である。
【図４】パネルフレーム１２ｂ，１４ｂおよびメインフレーム１６の構成の概略を示す分解斜視図である。
【図５】パネルフレーム１４ｂを図４の矢印Ｂ方向から見た側面図である。
【図６】枠部材１６ａを図４の矢印Ｃ方向から見た拡大図である。
【図７】パネルフレーム１２ｂをメインフレーム１６に支持する様子を示す説明図である。
【図８】太陽光発電装置１０を運搬する際の集光型太陽光発電パネル部材１２および平板型太陽光発電パネル部材１４の状態を図４の矢印Ｂ方向に対応する方向から見た側面図である。
【図９】太陽光発電装置１０を運搬する際の集光型太陽光発電パネル部材１２および平板型太陽光発電パネル部材１４の状態を図２の矢印Ａ方向に対応する方向から見た側面図である。
【考案を実施するための形態】
【００２２】
次に、本考案を実施するための最良の形態を実施例を用いて説明する。
【実施例】
【００２３】
本考案の実施の形態に係る太陽光発電装置１０を備える太陽光発電システム１は、図１に示すように、太陽光発電装置１０と、電力ラインを介して太陽光発電装置１０に電気的に接続された二つのチャージコントローラ２，４と、電力ラインを介して各チャージコントローラ２，４に電気的に接続されたバッテリ６，８と、電力ラインを介してバッテリ６に電気的に接続されたＤＣ／ＡＣインバータ９と、を備えている。
【００２４】
太陽光発電装置１０は、図２に示すように、集光型太陽光発電パネル部材１２と、当該集光型太陽光発電パネル部材１２を挟んで左右両側に配置された平板型太陽光発電パネル部材１４と、集光型太陽光発電パネル部材１２および平板型太陽光発電パネル部材１４を支持するメインフレーム１６と、当該メインフレーム１６を支持するベースフレーム１８と、当該ベースフレーム１８に設置された旋回機構２０と、メインフレーム１６に設置された傾動機構２２と、太陽光発電装置１０を制御する制御装置２４と、を備えている。
【００２５】
集光型太陽光発電パネル部材１２は、図２および図３に示すように、照射される太陽光を受光する受光面を構成する図示しない集光レンズ（例えば、平板型フレネルレンズ）および受光した太陽光を電力に変換する図示しない発電セルなどから構成される集光型太陽光発電パネル１２ａと、当該集光型太陽光発電パネル１２ａを支持するパネルフレーム１２ｂと、を有している。
【００２６】
パネルフレーム１２ｂは、図３および図４に示すように、縦長長方形の格子状に構成されている。具体的には、パネルフレーム１２ｂは、枠部材１３ａと、当該枠部材１３ａのほぼ中央部において枠部材１３ａを左右（短手方向）に二分するように縦方向（長手方向）に延在する二本の縦梁部材１３ｂと、枠部材１３ａを縦方向（長手方向）に三分するように横方向（短手方向）に延在する四本の横梁部材１３ｃと、から構成されている。
【００２７】
当該格子状に区画されたパネルフレーム１２ｂの各部に集光型太陽光発電パネル１２ａが取り付けられる。即ち、本実施例の集光型太陽光発電パネル部材１２では、縦方向（図３および図４の上下方向）に３枚、横方向（図３および図の左右方向）に２枚の計６枚の集光型太陽光発電パネル１２ａがパネルフレーム１２ｂに取り付けられている。
【００２８】
パネルフレーム１２ｂのうち下側二本の横梁部材１３ｃには、図７に示すように、パネルフレーム１２ｂ（集光型太陽光発電パネル部材１２）をメインフレーム１６に支持するための支持ブラケット３２が設けられている。また、二本の縦梁部材１３ｂのうち支持ブラケット３２が設けられた二本の横梁部材１３ｃよりもさらに下方寄りの部分には、傾動機構２２が接続される接続部３３が設けられている。
【００２９】
平板型太陽光発電パネル部材１４は、図２および図３に示すように、照射される太陽光を受光する受光面を構成する図示しないガラスカバーおよび受光した太陽光を電力に変換する図示しない発電セルなどから構成される平板型太陽光発電パネル１４ａと、当該平板型太陽光発電パネル１４ａを支持するパネルフレーム１４ｂと、を有している。
【００３０】
パネルフレーム１４ｂは、図４に示すように、平板型太陽光発電パネル１４ａが設置される本体部１５ａと、本体部１５ａを所定角度に維持した状態で支持可能に構成された支持部１５ｂと、から構成されている。
【００３１】
本体部１５ａは、図３および図４に示すように、縦長長方形の格子状に構成されている。また、支持部１５ｂは、図４および図５に示すように、底枠部材１１５ａと、当該底枠部材１１５ａに垂直に接続された縦枠部材１１５ｂと、を備える側面視略逆Ｌ字状に構成されている。
【００３２】
縦枠部材１１５ｂは、図５に示すように、縦方向（鉛直方向、図５の上下方向）に伸縮自在に構成されており、ピンＰによって所定の高さ位置で固定されるように構成されている。こうして構成された支持部１５ｂにヒンジ１７を介して本体部１５ａが取り付けられる。縦枠部材１１５ｂの高さを変えることにより水平面に対する本体部１５ａの傾斜角度を変更することができる。本実施の形態では、縦枠部材１１５ｂの高さは、二段階に変更することができる構成としており、縦枠部材１１５ｂの高さを高くすることによって水平面に対する本体部１５ａの傾斜角度が大きくなり（例えば、４７．５度）、縦枠部材１１５ｂの高さを低くすることによって水平面に対する本体部１５ａの傾斜角度が小さくなる（例えば、３５度）。
【００３３】
メインフレーム１６は、図４に示すように、横長長方形状の格子状に構成されている。具体的には、メインフレーム１６は、枠部材１６ａと、当該枠部材１６ａのほぼ中央部において枠部材１６ａを左右（長手方向）に二分するように縦方向（短手方向）に延在する二本の縦梁部材１６ｂと、当該二本の縦梁部材１６ｂの前方寄り（縦梁部材１６ｂの延在方向の一端寄り）において鉛直方向上方に向かって立設された一対の支持プレート１６ｃと、ベースフレームへの接続部としての旋回軸１６ｄと、から構成されている。
【００３４】
枠部材１６ａの一対の長辺の両端部には、図４に示すように、プレート部材１９がボルトＢＬＴ（図６参照）などの締結部材によって取り付けられている。当該プレート部材１９は、長方形状に構成されており、プレート部材１９の長手方向が枠部材１６ａの長辺の長手方向に沿うように取り付けられる。プレート部材１９の短手方向（図６の上下方向）の長さは、図６に示すように、枠部材１６ａの高さ方向寸法より大きくなるように構成されている。
【００３５】
こうして構成された枠部材１６ａの上面にパネルフレーム１４ｂが設置される。より具体的には、支持部１５ｂの底枠部材１１５ａが、プレート部材１９によってガイドされた状態で枠部材１６ａの長手方向（図４の左右方向）に摺動可能な状態で載置され、所望の位置となるまで枠部材１６ａ上で摺動された後に、プレート部材１９を介してボルトＢＬＴ（図６参照）などの締結部材によって固定される。なお、所望の位置とは、太陽光発電装置１０の搬送時におけるパネルフレーム１４ｂの設置位置および太陽光発電装置１０の発電時におけるパネルフレーム１４ｂの設置位置がこれに該当する。
【００３６】
一対の支持プレート１６ｃは、集光型太陽光発電パネル部材１２を支持する支持部材として構成されており、図７に示すように、集光型太陽光発電パネル部材１２の支持ブラケット３２の挿通孔（図示せず）と一対の支持プレート１６ｃの上端部に形成された貫通孔１１６（図４参照）とを整合させた状態で、貫通孔１１６および挿通孔(図示せず)に支持軸ＳＦＴを挿通することによって、集光型太陽光発電パネル部材１２を回転可能に支持する。ここで、支持軸ＳＦＴは、軸線が旋回軸１６ｄの軸線に直交する方向、かつ、メインフレーム１６の枠部材１６ａの長手方向に沿う方向に延在するように構成されている。なお、支持プレート１６ｃには、図７に示すように、傾動機構２２が揺動可能に支持されている。旋回軸１６ｄの軸線は、本考案の「鉛直軸線」に対応し、支持軸ＳＦＴの軸線は、本考案における「直交軸線」に対応する。
【００３７】
ベースフレーム１８は、図２および図３に示すように、キャスタ５２を有しており、太陽光発電装置１０を移動自在なように構成されている。ベースフレーム１８の上面中央には旋回機構２０が取付け固定されている。
【００３８】
旋回機構２０は、図示は省略するが、モータと、モータの回転軸に接続されたウォームギヤと、当該ウォームギヤと噛み合うギヤと、から構成されており、当該ギヤの回転軸線が鉛直方向を向くようにベースフレームに取り付けられる。当該旋回機構２０のギヤの回転軸線とメインフレーム１６の旋回軸１６ｄの軸線とが一致するように旋回軸１６ｄが旋回機構２０のギヤに締結される。これにより、モータが駆動されるとメインフレーム１６を介して集光型太陽光発電パネル部材１２および平板型太陽光発電パネル部材１４が旋回軸１６ｄを中心に回転（旋回）する。
【００３９】
傾動機構２２は、図示は省略するが、モータと、モータの回転軸に接続された雌ネジ部材と、雌ネジ部材の雌ネジとネジ係合する雄ネジを有するピストンロッドと、から構成されており、モータの回転軸の回転運動に伴ってピストンロッドを直線運動させる。傾動機構２２は、図７に示すように、メインフレーム１６の支持プレート１６ｃに揺動自在に支持されていると共に、ピストンロッドの先端がパネルフレーム１２ｂの縦梁部材１３ｂの接続部３３に相対回転可能な状態で接続されている。これにより、モータが駆動されるとピストンロッドの直線運動によって支持軸ＳＦＴを中心に集光型太陽光発電パネル部材１２が回転して水平面に対して傾斜（傾動）される。
【００４０】
制御装置２４は、図示しないＣＰＵを中心とするマイクロプロセッサとして構成されており、ＣＰＵの他に処理プログラムを記憶するＲＯＭ（図示せず）と、データを一時的に記憶するＲＡＭ（図示せず）と、入出力ポートおよび通信ポート（いずれも図示せず）とを備えいる。制御装置２４には、例えば、太陽運行軌跡に関する情報や、旋回機構２０および傾動機構２２の状態を示す信号などが入力ポートを介して入力されている。また、制御装置２４からは、旋回機構２０および傾動機構２２への駆動制御信号などが出力ポートを介して出力されている。当該制御装置２４は、メインフレーム１６の縦梁部材１６ｂ上に設置されている。
【００４１】
バッテリ６は、図１に示すように、チャージコントローラ２を介して集光型太陽光発電パネル部材１２に電気的に接続されており、集光型太陽光発電パネル部材１２によって発電された電力を蓄電するように構成されている。バッテリ６は、チャージコントローラ２によって管理されている。チャージコントローラ２には、バッテリ６を管理するのに必要な信号、例えば，端子間電圧，充放電電流，電池温度などが入力されており、バッテリ６に蓄電された電力をＤＣ／ＡＣインバータ９を介して外部負荷に供給する。なお、チャージコントローラ２では、バッテリ６を管理するために残容量も演算している。
【００４２】
バッテリ８は、図１に示すように、チャージコントローラ４を介して平板型太陽光発電パネル部材１４に電気的に接続されており、平板型太陽光発電パネル部材１４によって発電された電力を蓄電するように構成されいる。バッテリ８は、チャージコントローラ４によって管理されている。チャージコントローラ４には、バッテリ８を管理するのに必要な信号、例えば，端子間電圧，充放電電流，電池温度などが入力されており、バッテリ８に蓄電された電力を旋回機構２０や傾動機構２２に供給する。なお、チャージコントローラ２では、バッテリ６を管理するために残容量も演算している。
【００４３】
次に、こうして構成された太陽光発電装置１０の運搬時および発電時それぞれにおける集光型太陽光発電パネル部材１２および平板型太陽光発電パネル部材１４の相対位置関係について説明する。太陽光発電装置１０を運搬する際には、図８に示すように、集光型太陽光発電パネル部材１２が水平面に対して所定角度、例えば、４５度となるように傾動機構２２を駆動すると共に、パネルフレーム１４ｂの縦枠部材１１５ｂの高さを高くすることによって平板型太陽光発電パネル部材１４が水平面に対して大きな傾斜角度、例えば４７．５度となるように設定する。
【００４４】
集光型太陽光発電パネル部材１２および平板型太陽光発電パネル部材１４を、このような状態に設定することにより、図８に示すように、集光型太陽光発電パネル部材１２および平板型太陽光発電パネル部材１４を鉛直方向から見たときの仮想投影面上における当該集光型太陽光発電パネル部材１２および平板型太陽光発電パネル部材１４の投影領域の一方の幅寸法（支持軸ＳＦＴに直交する方向の幅寸法、図８の左右方向の幅寸法）Ｌ１，Ｌ２を小さく抑えることができる。これにより、太陽光発電装置１０を運搬する際に装置のコンパクト化を図ることができ、運搬性を向上することができる。
【００４５】
続いて、ボルトＢＬＴ（図６参照）などの締結部材を緩めて、パネルフレーム１４ｂのメインフレーム１６への固定を解除し、平板型太陽光発電パネル部材１４をメインフレーム１６上で摺動させる。そして、図９に示すように、集光型太陽光発電パネル部材１２または平板型太陽光発電パネル部材１４のいずれかの受光面と交差する直線に関し、当該直線に沿う方向の一方側から見たときの仮想投影面上における集光型太陽光発電パネル部材１２の投影領域の内側に平板型太陽光発電パネル部材１４の一部が配置された状態、即ち、平板型太陽光発電パネル部材１４が集光型太陽光発電パネル部材１２の裏側に入り込んだ状態で、再びボルトＢＬＴ（図６参照）などの締結部材によってパネルフレーム１４ｂをメインフレーム１６へ固定する。なお、平板型太陽光発電パネル部材１４は、例えば、平板型太陽光発電パネル部材１４の左右方向幅の半分以上が集光型太陽光発電パネル部材１２の裏側に入り込むようにすることが好ましい。
【００４６】
このように、集光型太陽光発電パネル部材１２および平板型太陽光発電パネル部材１４を互いにオーバーラップさせた状態とすることにより、太陽光発電装置１０の両太陽光発電パネル部材１２，１４の配列方向（図９の左右方向）の幅寸法Ｌ３を低減することができ、運搬時における装置のコンパクト化をより一層図ることができる。これにより、装置の運搬性がより一層向上する。この結果、トラックに載せて被災地などの必要な場所へ運搬することができる。
【００４７】
こうして目的地に運搬された太陽光発電装置１０を用いて発電する際には、ボルトＢＬＴ（図６参照）などの締結部材を緩めて、パネルフレーム１４ｂのメインフレーム１６への固定を解除し、集光型太陽光発電パネル部材１２と平板型太陽光発電パネル部材１４との重なりがなくなるまで平板型太陽光発電パネル部材１４をメインフレーム１６上で摺動させて、当該状態で再びボルトＢＬＴ（図６参照）などの締結部材によってパネルフレーム１４ｂをメインフレーム１６へ固定する。
【００４８】
これにより、図３に示すように、集光型太陽光発電パネル部材１２および平板型太陽光発電パネル部材１４の受光面全面で太陽光を受光できる状態となる。その後、パネルフレーム１４ｂの縦枠部材１１５ｂの高さを運搬時よりも低くすることによって平板型太陽光発電パネル部材１４が水平面に対して運搬時よりも小さな傾斜角度、例えば３５度となるように設定する。このように、発電の際には、大きな受光面積をもって太陽光を受光できる状態に設置することができるため、発電量の低下を招くことがない。
【００４９】
なお、本実施の形態によれば、集光型太陽光発電パネル部材１２によって発電された電力はバッテリ６に蓄電すると共に、平板型太陽光発電パネル部材１４によって発電された電力はバッテリ８に蓄電する構成としてるため、蓄電に際して電圧の調整を行う必要がない。また、バッテリ８に蓄電した電力によって旋回機構２０や傾動機構２２を駆動する構成であるため、発電量が大きく減少する曇り日等においても旋回機構２０や傾動機構２２を確実に駆動することができる。これにより、集光型太陽光発電パネル部材１２および平板型太陽光発電パネル部材１４の受光面が太陽光に向くように太陽光の追尾を確実に行うことができ、天候不順等の場合であっても高い発電効率を確保することができる。さらに、太陽光発電装置１０を設置するにあたり予めバッテリ６，８を充電しておくことにより、運搬先において早期に太陽光発電装置１０を駆動して発電を行うことができる。
【００５０】
本実施の形態では、集光型太陽光発電パネル部材１２の左右両側に平板型太陽光発電パネル部材１４を配置する構成としたが、これとは逆に、平板型太陽光発電パネル部材１４の左右両側に集光型太陽光発電パネル部材１２を配置する構成としても良い。この場合、両側の集光型太陽光発電パネル部材１２をメインフレーム１６上で摺動可能に構成し、運搬時には集光型太陽光発電パネル部材１２の一部が平板型太陽光発電パネル部材１４の裏側に入り込むことができるように構成すれば良い。
【００５１】
本実施形態は、本考案を実施するための形態の一例を示すものである。したがって、本考案は、本実施形態の構成に限定されるものではない。
【符号の説明】
【００５２】
１          太陽光発電システム（太陽光発電システム）
２          チャージコントローラ
４          チャージコントローラ
６          バッテリ（蓄電装置、第１蓄電装置）
８          バッテリ（蓄電装置、第２蓄電装置）
９          ＤＣ／ＡＣインバータ
１０        太陽光発電装置（太陽光発電装置）
１２        集光型太陽光発電パネル部材（集光型太陽光発電パネル部材）
１２ａ      集光型太陽光発電パネル
１２ｂ      パネルフレーム
１３ａ      枠部材
１３ｂ      縦梁部材
１３ｃ      横梁部材
１４        平板型太陽光発電パネル部材（平板型太陽光発電パネル部材）
１４ａ      平板型太陽光発電パネル
１４ｂ      パネルフレーム
１５ａ      本体部
１５ｂ      支持部
１６        メインフレーム（支持部材）
１６ａ      枠部材
１６ｂ      縦梁部材
１６ｃ      支持プレート
１６ｄ      旋回軸
１７        ヒンジ
１８        ベースフレーム（支持部材）
２０        旋回機構（駆動部材）
２２        傾動機構（駆動部材）
２４        制御装置
３２        支持ブラケット
３３        接続部
５２        キャスタ
１１５ａ    底枠部材
１１５ｂ    縦枠部材
１１６      貫通孔
ＢＬＴ      ボルト
ＳＦＴ      支持軸
【図１】
0003201920.tif 000003
【図２】
0003201920.tif 000004
【図３】
0003201920.tif 000005
【図４】
0003201920.tif 000006
【図５】
0003201920.tif 000007
【図６】
0003201920.tif 000008
【図７】
0003201920.tif 000009
【図８】
0003201920.tif 000010
【図９】
0003201920.tif 000011